(57)【特許請求の範囲】
【請求項１】
数字及び文字が割り当てられる操作キーと、
表示部と、
前記表示部に待ち受け画面が表示されている状態において、前記操作キーが操作された場合に、当該操作キーに割り当てられている数字及び文字を共に入力させて、前記表示部に表示させる制御部と、を有し、
前記制御部は、前記数字及び前記文字を表示させる場合に、当該数字を演算するための演算候補及び当該文字を変換するための変換候補を同時に表示させ、前記数字及び前記文字が表示されている状態において、前記演算候補が選択された場合には、選択された前記演算候補により前記数字に対して演算に関する処理を行い、前記変換候補が選択された場合には、選択された前記変換候補により前記文字に対して変換処理を行う携帯電子機器。
【請求項２】
方向指定キーを更に備え、
前記演算候補又は前記変換候補は、前記方向指定キーの操作により選択される請求項１に記載の携帯電子機器。
【請求項３】
前記制御部は、前記数字及び前記文字が表示されている状態において、前記演算候補が選択された場合に、表示されている前記文字の表示を解除し、表示されている前記数字の表示を維持する請求項１又は２に記載の携帯電子機器。
【請求項４】
前記制御部は、前記数字及び前記文字が表示されている状態において、前記演算候補が選択された場合に、表示されている前記数字に対して選択された前記演算候補に関する演算処理を実行すると共に、表示されている前記文字の表示に代えて前記演算処理の結果を表示させる請求項１又は２に記載の携帯電子機器。
【請求項５】
前記制御部は、前記演算候補及び前記変換候補が表示されている状態において、前記演算候補が選択された場合に、表示されている前記変換候補に代えて前記演算候補に関する選択候補を表示させる請求項４に記載の携帯電子機器。
【請求項６】
前記制御部は、前記数字及び前記文字が表示されている状態において、前記演算候補が選択された場合に、表示されている前記数字に対して選択された前記演算候補に関する演算処理を実行すると共に、表示されている前記文字の表示に代えて前記演算処理の過程を表示させ、かつ、表示されている前記数字の表示に代えて前記演算処理の結果を表示させる請求項１又は２に記載の携帯電子機器。
【請求項７】
表示部に待ち受け画面が表示されている状態において、操作部が操作された場合に、当該操作部に割り当てられている数字及び文字を共に入力させて、前記表示部に表示させるステップと、
前記数字及び前記文字を表示させる場合に、当該数字を演算するための演算候補及び当該文字を変換するための変換候補を同時に表示させるステップと、
前記数字及び前記文字が表示されている状態において、前記演算候補が選択された場合には、選択された前記演算候補により前記数字に対して演算に関する処理を行い、前記変換候補が選択された場合には、選択された前記変換候補により前記文字に対して変換処理を行うステップとを備える携帯電子機器の制御方法。
【発明の詳細な説明】
【技術分野】
【０００１】
本発明は、数字及び文字を入力可能な携帯電子機器及びその制御方法に関する。
【背景技術】
【０００２】
従来、携帯電話機等の携帯電子機器は、入力操作キーや発信キー等の複数の操作キーを有している。このような複数の操作キーを有する携帯電子機器に関する技術として、例えば、特許文献１のような携帯電子機器が提案されている。
【０００３】
特許文献１に記載の携帯電子機器は、待ち受け画面が表示されている状態において、入力操作キーが操作されると、操作された入力操作キーに割り当てられる数字及び文字を入力して、表示部に表示させる。そして、携帯電子機器は、数字及び文字が表示されている状態において、発信キーが操作されると、入力された数字に基づいて発信を行う。
【先行技術文献】
【特許文献】
【０００４】
【特許文献１】特開２００９−０３２２０９号公報
【発明の概要】
【発明が解決しようとする課題】
【０００５】
しかし、特許文献１に記載の携帯電子機器では、待ち受け画面が表示されている状態において、入力操作キーにより入力された数字を用いて発信を行うことはできるが、入力操作キーにより入力された数字を用いて、計算や単位の換算等の演算を行うことはできなかった。
【０００６】
そこで、本発明は、待ち受け画面が表示されている状態において、入力された数字を用いて容易に演算を行うことができる携帯電子機器及びその制御方法を提供することを目的とする。
【課題を解決するための手段】
【０００７】
本発明に係る携帯電子機器は、上記課題を解決するために、数字及び文字が割り当てられる操作キーと、表示部と、前記表示部に待ち受け画面が表示されている状態において、前記操作キーが操作された場合に、当該操作キーに割り当てられている数字及び文字を共に入力させて、前記表示部に表示させる制御部と、を有し、前記制御部は、前記数字及び前記文字を表示させる場合に、当該数字を演算するための演算候補及び当該文字を変換するための変換候補を同時に表示させ、前記数字及び前記文字が表示されている状態において、前記演算候補が選択された場合には、選択された前記演算候補により前記数字に対して演算に関する処理を行い、前記変換候補が選択された場合には、選択された前記変換候補により前記文字に対して変換処理を行う。
【０００８】
また、前記携帯電子機器は、方向指定キーを更に備え、前記演算候補又は前記変換候補は、前記方向指定キーの操作により選択されることが好ましい。
【０００９】
また、前記制御部は、前記数字及び前記文字が表示されている状態において、前記演算候補が選択された場合に、表示されている前記文字の表示を解除し、表示されている前記数字の表示を維持することが好ましい。
【００１０】
また、前記制御部は、前記数字及び前記文字が表示されている状態において、前記演算候補が選択された場合に、表示されている前記数字に対して選択された前記演算候補に関する演算処理を実行すると共に、表示されている前記文字の表示に代えて前記演算処理の結果を表示させることが好ましい。
【００１１】
また、前記制御部は、前記演算候補及び前記変換候補が表示されている状態において、前記演算候補が選択された場合に、表示されている前記変換候補に代えて前記演算項目に関する選択候補を表示させることが好ましい。
【００１２】
また、前記制御部は、前記数字及び前記文字が表示されている状態において、前記演算候補が選択された場合に、表示されている前記数字に対して選択された前記演算候補に関する演算処理を実行すると共に、表示されている前記文字の表示に代えて前記演算処理の過程を表示させ、かつ、表示されている前記数字の表示に代えて前記演算処理の結果を表示させることが好ましい。
【００１３】
本発明に係る携帯電子機器の制御方法は、上記課題を解決するために、表示部に待ち受け画面が表示されている状態において、操作部が操作された場合に、当該操作部に割り当てられている数字及び文字を共に入力させて、前記表示部に表示させるステップと、前記数字及び前記文字を表示させる場合に、当該数字を演算するための演算候補及び当該文字を変換するための変換候補を同時に表示させるステップと、前記数字及び前記文字が表示されている状態において、前記演算候補が選択された場合には、選択された前記演算候補により前記数字に対して演算に関する処理を行い、前記変換候補が選択された場合には、選択された前記変換候補により前記文字に対して変換処理を行うステップとを備える。
【発明の効果】
【００１４】
本発明によれば、待ち受け画面が表示されている状態において、入力された数字を用いて容易に演算を行うことができる携帯電子機器及びその制御方法を提供することができる。
【図面の簡単な説明】
【００１５】
【図１】本実施形態に係る携帯電話機の外観斜視図を示す。
【図２】本実施形態に係る携帯電話機の機能を示す機能ブロック図である。
【図３】本実施形態に係るキーアサインについて説明するための図である。
【図４】本実施形態に係る制御部の機能を示す機能ブロック図である。
【図５】本実施形態に係る表示部に表示される画面遷移例を示す図である。
【図６】図５に示す例の内部処理について示すフローチャートである。
【図７】本実施形態に係る表示部に表示される他の画面遷移例を示す図である。
【図８】図７に示す例の内部処理について示すフローチャートである。
【図９】本実施形態に係る表示部に表示される他の画面遷移例を示す図である。
【図１０】図９に示す例の内部処理について示すフローチャートである。
【図１１】本実施形態に係る表示部に表示される他の画面遷移例を示す図である。
【図１２】図１１に示す例の内部処理について示すフローチャートである。
【図１３】本実施形態に係る表示部に表示される他の画面遷移例を示す図である。
【発明を実施するための形態】
【００１６】
図１は、本発明に係る携帯電子機器の一実施形態である携帯電話機１の外観斜視図を示す。なお、図１は、いわゆる折り畳み型の携帯電話機の形態を示しているが、本発明に係る携帯電話機の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ、フリップタイプ）でもよい。
【００１７】
携帯電話機１は、操作部側筐体部２と、表示部側筐体部３と、を備える。操作部側筐体部２は、表面部１０に、操作部１１と、携帯電話機１の使用者が通話時に発した音声が入力されるマイク１２と、を備える。操作部１１は、各種設定や電話帳機能やメール機能等の各種機能を作動させるための機能設定操作キー１３と、電話番号の数字やメールの文字等を入力するための入力操作キー１４と、各種操作における決定やスクロール等を行う決定操作キー１５と、から構成されている。なお、機能設定操作キー１３、入力操作キー１４及び決定操作キー１５は、表示部２１と一体に形成されたタッチパネル上に配置するように構成してもよい。
【００１８】
また、表示部側筐体部３は、表面部２０に、各種情報を表示するための表示部２１と、通話の相手側の音声を出力するレシーバ２２と、を備える。
【００１９】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２０】
図２は、携帯電話機１の機能を示す機能ブロック図である。携帯電話機１は、例えば、図２に示すように、操作部１１と、マイク１２と、メインアンテナ４０と、ＲＦ回路部４１と、表示制御部４２と、音声処理部４３と、メモリ４４と、制御部４５と、が操作部側筐体部２に備えられる。携帯電話機１は、表示部２１と、レシーバ２２と、ドライバＩＣ２３と、が表示部側筐体部３に備えられている。
【００２１】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であってもよい。また、メインアンテナ４０は、第１の使用周波数帯で外部装置と通信を行い、ＧＰＳ通信のための第２の使用周波数帯に対応できるアンテナを別途設けてもよい。
【００２２】
ＲＦ回路部４１は、メインアンテナ４０によって受信した信号を復調処理し、処理後の信号を制御部４５に供給する。そして、ＲＦ回路部４１は、制御部４５から供給された信号を変調処理し、メインアンテナ４０を介して外部装置（基地局）に送信する。また、その一方で、ＲＦ回路部４１は、メインアンテナ４０によって受信している信号の強度を制御部４５へ通知を行う。
【００２３】
表示制御部４２は、制御部４５の制御にしたがって、所定の画像処理を行い、処理後の画像データをドライバＩＣ２３に出力する。ドライバＩＣ２３は、表示制御部４２から供給された画像データをフレームメモリに蓄え、所定のタイミングで表示部２１に出力する。
【００２４】
音声処理部４３は、制御部４５の制御にしたがって、ＲＦ回路部４１から供給された信号に対して所定の音声処理を行い、処理後の信号をレシーバ２２又はスピーカ（図示せず）に出力する。レシーバ２２又はスピーカは、音声処理部４３から供給された信号を外部に出力する。
【００２５】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２６】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていてもよい。
【００２７】
制御部４５は、携帯電話機１の全体を制御しており、中央処理装置（ＣＰＵ）等を用いて構成される。ここで、操作部１１によるキー操作に応じた制御部４５の制御動作について説明する。制御部４５は、原則的に現在アクティブに起動されているアプリケーションに応じて、操作部１１を構成する各キー（機能設定操作キー１３、入力操作キー１４、決定操作キー１５）に割り当てる記号や機能を変化させる。
【００２８】
具体的には、操作部１１は、いずれかのキーが押下されたときに、当該キーの位置情報（例えば、図３（ａ）に示すように、入力操作キー１４の第２行左列のキー（「１」と「あ」が表面に印刷されているキー）が押下された場合には、（Ｘ２、Ｙ１）なる位置情報）を制御部４５に送信する。制御部４５は、メモリ４４にアクセスして、現在アクティブになっているアプリケーションに対応するキーアサインテーブルを参照し、操作部１１から送信されてきた位置情報から割り当てられている記号や機能の処理を実行する。例えば、メモリ４４には、図３（ｂ）〜図３（ｄ）に示すように、複数のキーアサインテーブルが格納されている。なお、図３（ｂ）は、電話発信を行う際に利用されるテーブルであり、図３（ｃ）は、メモ帳アプリケーションやメールアプリケーションにおいて利用されるテーブルであり、図３（ｄ）は、テレビアプリケーションにおいてチャンネルを変更する際に利用されるテーブルである。
【００２９】
なお、記号の処理の実行とは、例えば、現在アクティブになっているアプリケーションがメモ帳の場合には、「１」や「あ」を表示部２１に表示することを意味している。また、機能の処理の実行とは、例えば、現在アクティブになっているアプリケーションがテレビの場合に、表示チャンネルを１ｃｈに設定することを意味している。
【００３０】
また、メモリ４４には、複数のキーアサインテーブルが格納されている。制御部４５は、アプリケーションに応じて、参照するキーアサインテーブルを切り替え、操作部１１から送信されてくるキーの位置情報に基づいて所定のキーアサインテーブルを参照して、所定の処理を実行する。
【００３１】
このように構成される携帯電話機１では、通信の待ち受け状態において、キー操作が行われた場合に、当該キーに割り当てられている複数の記号（例えば、数字や文字）それぞれを、例えば、別々の画面領域に並列的に表示し、所定のキー操作が行われた場合に一方の記号が表示されている画面を有効にする機能を有している。また、通信の待ち受け状態において、キー操作が行われた場合に、当該キーに割り当てられている複数の記号のうち、一の記号（例えば、文字）を表示してもよい。
【００３２】
また、携帯電話機１は、操作部１１により入力された文字の変換候補として漢字変換候補あるいは、次に続く予測変換候補を表示させると機能を有する。更に、携帯電話機１は、これらの漢字変換候補あるいは予測変換候補が選択されることにより、アプリケーション名又はアプリケーションに関する処理内容を示す文字列が入力された場合には、このアプリケーションを実行する機能を有している。
【００３３】
ここで、上述した機能を発揮するための構成について説明する。携帯電話機１の制御部４５は、図４に示すように、文字入力部５０と、アプリケーション実行部５１と、設定制御部５２と、を備える。
【００３４】
文字入力部５０は、ユーザによりキー操作が行われた場合に、文字及び数字を編集するアプリケーション（後述するアプリケーションＡ）を起動して、当該キーに割り当てられている文字を表示させるように、表示制御部４２を制御する。また、文字入力部５０は、入力された文字に対する漢字変換候補あるいは予測変換候補をメモリ４４から抽出し、表示制御部４２を介して表示部２１に表示させる。
【００３５】
なお、メモリ４４には、漢字変換候補や予測変換候補が記憶され、かつ、管理されている予測ＤＢ（図示せず）が格納されている。文字入力部５０は、入力された文字に基づいて、この予測ＤＢを検索し、変換される漢字等の漢字変換候補や、後に続く文字の予測変換候補を抽出する。
【００３６】
更に、文字入力部５０は、携帯電話機１が有するアプリケーションの候補、又はアプリケーションにおける動作（処理）を、入力文字に基づいてメモリ４４から抽出し、漢字変換候補あるいは予測変換候補の中に表示させる。具体的には、文字入力部５０は、例えば、「か」と入力された場合に、「か」で始まるアプリケーションである「カメラ」を予測変換候補として表示させる。次に、「カメラ」が入力された場合や、「カメラ」が予測変換候補として選択された場合に、カメラアプリケーションにおける処理内容として、「起動する」や「使い方」といった処理名を予測変換候補として表示させる。
【００３７】
なお、メモリ４４には、携帯電話機１が有するアクティビティ（アプリケーション名及びアプリケーションにおける処理名、更には携帯電話機１の状態を設定する機能名等）が、アクティビティ候補ＤＢとして格納される。
【００３８】
そして、ユーザにより、これらのアプリケーション名や処理名が選択された場合には、アプリケーション実行部５１は、該当のアプリケーション（例えば、カメラ、メール、テレビ等）あるいは、アプリケーションの特定の動作（処理）を、実行する。
【００３９】
また、文字入力部５０は、携帯電話機１が有するアプリケーションの実行に限らず、携帯電話機１の状態（例えば、マナーモードや電波ＯＦＦモード等）を設定する機能名を、メモリ４４から抽出し、漢字変換候補あるいは予測変換候補として表示する。そして、設定制御部５２は、これらの機能名が選択されたことに応じて、携帯電話機１の状態設定を行う。
【００４０】
次に、待ち受け画面が表示されている状態において、制御部４５により入力された数字を用いて演算を行う処理について説明する。
【００４１】
なお、本実施形態においては、「文字」とは、数字以外の文字（かな文字、カナ文字、英字、記号）等を含むものと定義する。また、「数字」とは、電話発信に用いる数字等（０〜９、＊、＃、ポーズの「ｐ」）及び計算に用いる記号（＋、−、×、÷、＝）を含むものと定義する。また、「文字」及び「数字」は、一の文字、一の数字だけでなく、文字列、数字列も含むものと定義する。また、待ち受け画面とは、着信を待ち受けている場合及びアプリケーションの起動を待ち受けている場合に表示される画面である。
【００４２】
制御部４５は、表示部２１に待ち受け画面が表示されている状態において、入力操作キー１４（いわゆる、テンキー）のうちいずれかの操作キーが操作された場合に、当該操作キーに割り当てられている数字及び文字を共に入力させて、表示部２１に表示させる。
【００４３】
そして、制御部４５は、数字及び文字を表示部２１表示させる場合に、当該数字を演算するための演算候補（例えば、記号「＋」、「−」、「×」、「÷」、「＝」等）及び当該文字を変換するための変換候補を同時に表示させる。
【００４４】
更に、制御部４５は、数字及び文字が表示されている状態において、演算候補が選択された場合、選択された演算候補により数字に対して演算に関する処理を行い、変換候補が選択された場合、選択された変換候補により文字に対して変換処理を行う。
【００４５】
具体的には、制御部４５は、以下のような処理を行う。
図５は、本実施形態に係る表示部２１に表示される画面遷移例を示す図である。
制御部４５は、初期画面としての待ち受け画面Ｄ１が表示されている状態において、入力操作キー１４が操作された場合に、当該操作キーに割り当てられている数字「３２２」を領域Ｒ３に表示（入力）させ、当該操作キーに割り当てられている文字「さき」を領域Ｒ１に表示（入力）させる。また、制御部４５は、入力された文字「さき」の変換候補「先」、「作業」、「先ほど」、「先程」及び「先物」を領域Ｒ２に表示させる。
【００４６】
更に、制御部４５は、数字「３２２」及び文字「さき」を表示させる場合に、数字「３２２」を演算させるための演算候補（「＋」、「−」、「×」、「÷」、「＝」）及び上述した変換候補を領域Ｒ２に表示させる（画面Ｄ２）。
【００４７】
なお、表示部２１の上段に表示される領域Ｒ１は、主に文字を表示させる領域であり、表示部２１の中断に表示される領域Ｒ２は、主に変換候補及び演算候補を表示させる領域であり、表示部２１の下段に表示される領域Ｒ３は、主に数字を表示させる領域である。
【００４８】
また、変換候補及び演算候補は、決定操作キー１５を構成する方向指定キー１５ａの操作により選択される。
すなわち、画面Ｄ２において、制御部４５は、方向指定キー１５ａの下方向（↓）キーが３回操作され（画面Ｄ３、Ｄ４、Ｄ５）、右方向（→）キーが２回操作されると、演算候補「×」が選択される（画面Ｄ６）。
【００４９】
画面Ｄ６において、制御部４５は、決定操作キー１５を構成する決定キー１５ｂが操作されて、演算候補「×」の入力が確定されると、領域Ｒ３に数字「３２２×」が入力される（画面Ｄ７）。
【００５０】
画面Ｄ７において、制御部４５は、入力操作キー１４が操作された場合に、当該操作キーに割り当てられている数字「７８」を領域Ｒ３に表示（入力）させ、当該操作キーに割り当てられている文字「まや」を領域Ｒ１に表示（入力）させる。これにより、領域Ｒ１には、文字「さきまや」が入力され、領域Ｒ３には、「３２２×７８」が入力される（画面Ｄ８）。
【００５１】
画面Ｄ８において、制御部４５は、方向指定キー１５ａの操作により演算候補「＝」が選択され、決定キー１５ｂが操作されて、演算候補「＝」の入力が確定されると、領域Ｒ３に演算処理の結果である数字「２５１１６」が入力される（画面Ｄ９）。
【００５２】
また、画面Ｄ６において、制御部４５は、決定操作キー１５を構成する決定キー１５ｂが押下されて、演算候補「×」の入力が確定された場合、すなわち、演算候補「×」が選択された場合（演算候補のいずれかが選択された場合）、領域Ｒ１及びＲ２の表示を解除し、数字「３２２×」が入力された領域Ｒ３のみを表示させてもよい（画面Ｄ１０）。
【００５３】
このように本実施形態に係る携帯電話機１は、演算候補と変換候補の選択に応じて数字及び文字に対する処理を切り換えることができるため、待ち受け画面が表示されている状態において入力された数字を用いて、演算を容易に行うことができる。
【００５４】
また、本実施形態によれば、演算候補又は変換候補は、方向指定キー１５ａの操作により選択される。これにより、携帯電話機１は、演算候補又は変換候補の選択を容易に行うことができる。
【００５５】
また、本実施形態によれば、制御部４５は、数字及び文字が表示されている状態において、演算候補が選択（確定）された場合（画面Ｄ６）、表示されている文字の表示を解除し、表示されている前記数字の表示を維持してもよい（画面Ｄ１０）。これにより、携帯電話機１は、不要な文字の表示を解除することで演算候補に関する演算結果や演算過程等をより明確に表示させることができる。
【００５６】
図６は、図５に示す例の内部処理について示すフローチャートである。
ステップＳ１において、制御部４５は、待ち受け画面Ｄ１が表示されている状態において、入力操作キー１４の操作を検出する。
【００５７】
ステップＳ２において、制御部４５は、入力操作キー１４の操作の検出に応じて、入力される文字及び数字を編集するアプリケーションＡ（以下、単にアプリケーションＡという）を起動する処理を行う。
【００５８】
ステップＳ３において、制御部４５は、操作が検出された入力操作キー１４のいずれかに割り当てられた数字及び文字をアプリケーションＡに入力させる。これにより、アプリケーションＡは、図５の画面Ｄ２に示すように、領域Ｒ１に文字を表示させ、領域Ｒ２に変換候補及び演算候補を表示させ、領域Ｒ３に数字を表示させる。
【００５９】
ステップＳ４において、制御部４５は、方向指定キー１５ａの操作により演算候補を選択させ、決定キー１５ｂの操作により選択された演算候補を確定させる（図５の画面Ｄ３〜Ｄ６）。
【００６０】
ステップＳ５において、制御部４５は、選択された演算候補をアプリケーションＡにより領域Ｒ３に表示させる（図５の画面Ｄ７）。
ステップＳ６において、制御部４５は、演算候補が「＝」であるか否かを判定する。演算候補が「＝」である場合（ＹＥＳ）には、ステップＳ７へ進む。演算候補が「＝」でない場合（ＮＯ）には、ステップＳ３へ戻る。
ステップＳ７において、制御部４５は、演算候補による演算結果をアプリケーションＡにより領域Ｒ３に表示させる。
【００６１】
次に、演算候補「＝」を領域Ｒ２に表示させない場合の処理について説明する。
図７は、本実施形態に係る表示部２１に表示される他の画面遷移例を示す図である。
図５に示す例と同様に、制御部４５は、初期画面としての待ち受け画面Ｄ１１が表示されている状態において、入力操作キー１４が操作された場合に、当該操作キーに割り当てられている数字「３２２」を領域Ｒ３に表示させ、当該操作キーに割り当てられている文字「さき」を領域Ｒ１に表示させる。また、制御部４５は、入力された文字「さき」の変換候補「先」、「作業」、「先ほど」、「先程」及び「先物」を領域Ｒ２に表示させる。
【００６２】
更に、制御部４５は、数字「３２２」及び文字「さき」を表示させる場合に、数字「３２２」を演算させるための演算候補（「＋」、「−」、「×」、「÷」）及び上述した変換候補を領域Ｒ２に表示させる（画面Ｄ１２）。
すなわち、図７に示す画面Ｄ１２は、演算候補「＝」が領域Ｒ２に表示されない点が図５に示す画面Ｄ２と異なる。
【００６３】
次に、画面Ｄ１２において、制御部４５は、方向指定キー１５ａの操作により演算候補「×」を選択し（画面Ｄ１３〜Ｄ１６）、決定キー１５ｂの操作により演算候補「×」が確定されると、領域Ｒ３に数字「３２２×」が表示される（画面Ｄ１６）。
【００６４】
画面Ｄ１６において、制御部４５は、入力操作キー１４が操作された場合に、当該操作キーに割り当てられている数字「７８」を領域Ｒ３に表示させ、当該操作キーに割り当てられている文字「まや」を領域Ｒ１に表示（入力）させる。これにより、領域Ｒ１には、文字「さきまや」が入力され、領域Ｒ３には、数字「３２２×７８」が入力される（画面Ｄ１７）。
【００６５】
画面Ｄ１７において、制御部４５は、決定キー１５ｂが操作されると、領域Ｒ３に表示されている数字「３２２×７８」の演算処理が実行され、演算処理の結果である数字「２５１１６」が領域Ｒ３に表示される（画面Ｄ１８）。このように本実施形態においては、決定キー１５ｂの操作により演算候補「＝」の入力が確定されたと判断される。
【００６６】
図８は、図７に示す例の内部処理について示すフローチャートである。
ステップＳ１１において、制御部４５は、待ち受け画面Ｄ１１が表示されている状態において、入力操作キー１４の押下操作を検出する。
【００６７】
ステップＳ１２において、制御部４５は、入力操作キー１４の操作の検出に応じて、アプリケーションＡを起動する処理を行う。
【００６８】
ステップＳ１３において、制御部４５は、操作が検出された入力操作キー１４のいずれかに割り当てられた数字及び文字をアプリケーションＡに入力させる。これにより、アプリケーションＡは、図７の画面Ｄ１２に示すように、領域Ｒ１に文字を表示させ、領域Ｒ２に変換候補及び演算候補を表示させ、領域Ｒ３に数字を表示させる。
【００６９】
ステップＳ１４において、制御部４５は、方向指定キー１５ａの操作により演算候補を選択させ、決定キー１５ｂの操作により選択された演算候補を確定させる（図７の画面Ｄ１３〜Ｄ１６）。
【００７０】
ステップＳ１５において、制御部４５は、選択された演算候補をアプリケーションＡにより領域Ｒ３に表示させる（図７の画面Ｄ１７）。
【００７１】
ステップＳ１６において、制御部４５は、ステップＳ１４において決定キー１５ｂが操作された後に、再度決定キー１５ｂが操作されたか否かを判定する。決定キー１５ｂが操作された場合（ＹＥＳ）には、ステップＳ１７へ進む。決定キー１５ｂが操作されない場合（ＮＯ）には、ステップＳ１３へ戻る。
【００７２】
ステップＳ１７において、制御部４５は、領域Ｒ３に表示されている数字の演算処理を実行させ、演算処理の結果を領域Ｒ３に表示させる（図７の画面Ｄ１８）。
【００７３】
このように本実施形態に係る携帯電話機１は、演算候補「＝」を表示させない場合であっても、待ち受け画面が表示されている状態において入力された数字を用いて、演算を容易に行うことができる。
【００７４】
次に、領域Ｒ１における文字の表示に代えて演算処理の結果を表示させる処理について説明する。
図９は、本実施形態に係る表示部２１に表示される他の画面遷移例を示す図である。
図５及び７に示す例と同様に、制御部４５は、初期画面としての待ち受け画面Ｄ２１が表示されている状態において、入力操作キー１４が操作された場合に、当該操作キーに割り当てられている数字「３２２」を領域Ｒ３に表示させ、当該操作キーに割り当てられている文字「さき」を領域Ｒ１に表示させる。また、制御部４５は、入力された文字「さき」の変換候補「先」、「作業」、「先ほど」、「先程」及び「先物」を領域Ｒ２に表示させる。
【００７５】
更に、制御部４５は、数字「３２２」及び文字「さき」を表示させる場合に、数字「３２２」を演算させるための演算候補（「＋」、「−」、「×」、「÷」）及び上述した変換候補を領域Ｒ２に表示させる（画面Ｄ２２）。
【００７６】
次に、画面Ｄ２２において、制御部４５は、方向指定キー１５ａの操作により演算候補「×」を選択し（画面Ｄ２３〜Ｄ２７）、決定キー１５ｂの操作により演算候補「×」が確定されると、領域Ｒ３に数字「３２２×」が表示され、領域Ｒ１に文字「さき」に代えて、数字「３２２」の漢字表記である漢数字「三百二十二」を表示させる（画面Ｄ２７）。
【００７７】
画面Ｄ２７において、制御部４５は、入力操作キー１４が操作された場合に、当該操作キーに割り当てられている数字「７８」を領域Ｒ３に表示させる。これにより、領域Ｒ１には、漢数字「三百二十二」が入力され、領域Ｒ３には、数字「３２２×７８」が入力される（画面Ｄ２８）。
【００７８】
画面Ｄ２８において、制御部４５は、決定キー１５ｂが操作されると、領域３に表示されている数字「３２２×７８」の演算処理が実行され、演算処理の結果である数字「２５１１６」が領域３に表示されると共に、数字「２５１１６」の漢字表記である漢数字「二万五千百十六」が領域Ｒ１に表示される（画面Ｄ２９）。
【００７９】
このように制御部４５は、数字及び文字が表示されている状態において、演算候補が選択された場合、表示されている数字に対して選択された演算候補に関する演算処理を実行すると共に、表示されている文字の表示に代えて演算処理の結果を漢数字で表示させる。これにより、携帯電話機１は、表示されている文字の表示に代えて演算処理の結果が漢数字で表示されるため、ユーザは演算処理の結果を一見して容易に把握することができ、ユーザの利便性が向上する。
【００８０】
図１０は、図９に示す例の内部処理について示すフローチャートである。
ステップＳ２１において、制御部４５は、待ち受け画面Ｄ２１が表示されている状態において、入力操作キー１４の操作を検出する。
【００８１】
ステップＳ２２において、制御部４５は、入力操作キー１４の操作の検出に応じて、アプリケーションＡを起動する処理を行う。
【００８２】
ステップＳ２３において、制御部４５は、操作が検出された入力操作キー１４のいずれかに割り当てられた数字及び文字をアプリケーションＡに入力させる。これにより、アプリケーションＡは、図９の画面Ｄ２２に示すように、領域Ｒ１に文字を表示させ、領域Ｒ２に変換候補及び演算候補を表示させ、領域Ｒ３に数字を表示させる。
【００８３】
ステップＳ２４において、制御部４５は、方向指定キー１５ａの操作により演算候補を選択させ、決定キー１５ｂの操作により選択された演算候補の入力を確定させる（図９の画面Ｄ２３〜Ｄ２７）。
【００８４】
ステップＳ２５において、制御部４５は、入力を確定させた演算候補を領域Ｒ３に表示させ、文字に代えて、数字の漢字表記を領域Ｒ１に表示させる（画面Ｄ２７）。
【００８５】
ステップＳ２６において、制御部４５は、ステップＳ２４において決定キー１５ｂが操作された後に、再度決定キー１５ｂが操作されたか否かを判定する。決定キー１５ｂが操作された場合（ＹＥＳ）には、ステップＳ２７へ進む。決定キー１５ｂが操作されない場合（ＮＯ）には、ステップＳ２３へ戻る。
【００８６】
ステップＳ２７において、制御部４５は、領域Ｒ３に表示されている数字の演算処理を実行させ、演算処理の結果を領域Ｒ３に表示させると共に、演算処理の結果の漢字表記を領域Ｒ１に表示させる（図９の画面Ｄ２９）。
【００８７】
次に、領域Ｒ１における文字の表示に代えて演算処理の過程を表示させる処理について説明する。
図１１は、本実施形態に係る表示部２１に表示される他の画面遷移例を示す図である。
図５、７及び９に示す例と同様に、制御部４５は、初期画面としての待ち受け画面Ｄ３１が表示されている状態において、入力操作キー１４が操作された場合に、当該操作キーに割り当てられている数字「３２２」を領域Ｒ３に表示させ、当該操作キーに割り当てられている文字「さき」を領域Ｒ１に表示させる。また、制御部４５は、入力された文字「さき」の変換候補「先」、「作業」、「先ほど」、「先程」及び「先物」を領域Ｒ２に表示させる。
【００８８】
更に、制御部４５は、数字「３２２」及び文字「さき」を表示させる場合に、数字「３２２」を演算させるための演算候補（「＋」、「−」、「×」、「÷」）及び上述した変換候補を領域Ｒ２に表示させる（画面Ｄ３２）。
【００８９】
次に、画面Ｄ３２において、制御部４５は、方向指定キー１５ａの操作により演算候補「×」を選択し（画面Ｄ３３〜Ｄ３７）、決定キー１５ｂの操作により演算候補「×」が確定されると、領域Ｒ３に数字「３２２」が表示され、領域Ｒ１に文字「さき」に代えて、数字「３２２×」を表示させる（画面Ｄ３７）。
【００９０】
画面Ｄ３７において、制御部４５は、入力操作キー１４が操作された場合に、当該操作キーに割り当てられている数字「７８」を領域Ｒ３に表示させる。これにより、領域Ｒ１には、文字「３２２×７８」が入力され、領域Ｒ３には、数字「７８」が入力される（画面Ｄ３８）。
【００９１】
画面Ｄ３８において、制御部４５は、決定キー１５ｂが操作されると、領域Ｒ３に表示されている数字「３２２×７８」の演算処理が実行され、演算処理の結果である数字「２５１１６」が領域Ｒ３に表示されると共に、演算処理の過程である数字「３２２×７８」が領域Ｒ１に表示される（画面Ｄ３９）。
【００９２】
このように制御部４５は、数字及び文字が表示されている状態において、演算候補が選択された場合、表示されている数字に対して選択された演算候補に関する演算処理を実行すると共に、表示されている文字の表示に代えて演算処理の過程を表示させ、かつ、表示されている数字の表示に代えて演算処理の結果を表示させる。したがって、ユーザは、演算処理の過程及び演算処理の結果の両方を視認することができるため、携帯電話機１は、演算処理についての利便性を向上させることができる。
【００９３】
図１２は、図１１に示す例の内部処理について示すフローチャートである。
ステップＳ３１において、制御部４５は、待ち受け画面Ｄ３１が表示されている状態において、入力操作キー１４の操作を検出する。
【００９４】
ステップＳ３２において、制御部４５は、入力操作キー１４の操作の検出に応じて、アプリケーションＡを起動する処理を行う。
【００９５】
ステップＳ３３において、制御部４５は、操作が検出された入力操作キー１４のいずれかに割り当てられた数字及び文字をアプリケーションＡに入力させる。これにより、アプリケーションＡは、図１１の画面Ｄ３２に示すように、領域Ｒ１に文字を表示させ、領域Ｒ２に変換候補及び演算候補を表示させ、領域Ｒ３に数字を表示させる。
【００９６】
ステップＳ３４において、制御部４５は、方向指定キー１５ａの操作により演算候補を選択させ、決定キー１５ｂの操作により選択された演算候補の入力を確定させる（図１１の画面Ｄ３３〜Ｄ３７）。
【００９７】
ステップＳ３５において、制御部４５は、入力を確定させた演算候補を領域Ｒ３に表示させ、文字に代えて、演算処理の過程を領域Ｒ１に表示させる（画面Ｄ３７）。
【００９８】
ステップＳ３６において、制御部４５は、ステップＳ２４において決定キー１５ｂが操作された後に、再度決定キー１５ｂが操作されたか否かを判定する。決定キー１５ｂが操作された場合（ＹＥＳ）には、ステップＳ３７へ進む。決定キー１５ｂが操作されない場合（ＮＯ）には、ステップＳ３３へ戻る。
【００９９】
ステップＳ３７において、制御部４５は、領域Ｒ３に表示されている数字の演算処理を実行させ、演算処理の結果を領域Ｒ３に表示させると共に、演算過程を領域Ｒ１に表示させる（図１１の画面Ｄ３９）。
【０１００】
また、制御部４５は、領域Ｒ２に演算候補及び変換候補が表示されている状態において、方向指定キー１５ａの操作により演算候補が選択された（カーソルで選択された）場合、表示されている変換候補に代えて演算項目に関する選択候補（例えば、メニューアイコン等）を領域Ｒ２に表示させてもよい。
【０１０１】
具体的には、図１３の画面Ｄ４５に示すように、方向指定キー１５ａの操作により演算候補が選択された（カーソルで選択された）場合、制御部４５は、変換候補に代えて演算項目に関する選択候補としてメニューアイコンＭ１〜Ｍ４を領域Ｒ２に表示させる（画面Ｄ４６）。
【０１０２】
領域Ｒ２に表示される演算候補に関する選択候補の例としては、計算用アプリケーションにより領域Ｒ３に表示されている数字の計算を行うものや、通貨換算用アプリケーションにより領域Ｒ３に表示されている数字の通貨換算（例えば、円→ドル）を行うものや、領域Ｒ３に表示されている数字の単位換算（例えば、メートル→ヤード）を行うものや、領域Ｒ３に表示されている数字の時差換算（例えば、日本の標準時→イギリスの標準時）を行うものが挙げられる。
【０１０３】
そして、制御部４５は、方向指定キー１５ａ及び決定キー１５ｂの操作によりアプリケーションの演算項目に関する選択候補としてのメニューアイコンＭ１〜Ｍ４のいずれかの選択が確定されると、メニューアイコンＭ１〜Ｍ４のいずれかに対応する選択候補によって領域Ｒ３に表示されている数字に対して演算処理を行い、演算結果を領域Ｒ３に表示させる。
【０１０４】
これにより、携帯電話機１は、演算項目に関する選択候補の選択を容易に行うことができ、選択された選択候補によって容易に演算（計算、換算等）を行うことができる。
【０１０５】
例えば、制御部４５は、初期画面として待ち受け画面Ｄ４１が表示されている状態において、入力操作キー１４が操作された場合に、当該操作キーに割り当てられている数字「３２２」を領域Ｒ３に表示させ、当該操作キーに割り当てられている文字「さき」を領域Ｒ１に表示（入力）させる。また、制御部４５は、入力された文字「さき」の変換候補「先」、「作業」、「先ほど」、「先程」及び「先物」を領域Ｒ２に表示させる。
【０１０６】
更に、制御部４５は、数字「３２２」及び文字「さき」を表示させる場合に、数字「３２２」を演算させるための演算候補に関する選択候補としてのメニューアイコンＭ１〜Ｍ４及び上述した変換候補を領域Ｒ２に表示させる（画面Ｄ４２）。
画面Ｄ４２において、制御部４５は、方向指定キー１５ａの下方向（↓）キーが３回操作されると（画面Ｄ４２、Ｄ４３、Ｄ４４）、計算用アプリケーションにより領域Ｒ３に表示されている数字を演算するためのメニューアイコンＭ１が選択される（画面Ｄ４５）。
【０１０７】
更に、制御部４５は、メニューアイコンＭ１が選択されると、入力された文字「さき」の変換候補に代えて、領域Ｒ３に表示されている数字「３２２」を演算するための演算候補（「＋」、「−」、「×」、「÷」）を領域Ｒ２に表示させる（画面Ｄ４５）。
画面Ｄ４５において、制御部４５は、方向指定キー１５ａ及び決定キー１５ｂが操作されて、演算候補「×」の選択が確定されると、計算用アプリケーションにより演算処理が行われ、領域Ｒ３に演算処理の結果である数字「２５１１６」が入力される。
【０１０８】
また、通貨換算アプリケーションにより通貨換算を行う場合には、以下のような処理を行う。
すなわち、画面Ｄ４２において、制御部４５は、方向指定キー１５ａの下方向（↓）キーが３回操作され（画面Ｄ４２、Ｄ４３、Ｄ４４）、右方向（→）キーが１回操作されると、通貨換算用アプリケーションにより領域Ｒ３に表示されている数字の通貨換算を行うメニューアイコンＭ２が選択される（画面Ｄ４６）。
【０１０９】
更に、制御部４５は、メニューアイコンＭ２が選択されると、入力された文字「さき」の変換候補に代えて、領域Ｒ３に表示されている数字「３２２」を通貨換算するための演算候補（例えば、「＄（米国ドルを表す記号）」、「ユーロを表す記号」、「￥（円を表す記号）」、「ウォンを表す記号」を領域Ｒ２に表示させる（画面Ｄ４６）。
【０１１０】
画面Ｄ４６において、制御部４５は、方向指定キー１５ａ及び決定キー１５ｂが操作されて、演算候補「米国ドルを表す記号」の選択が確定されると、通貨換算用アプリケーションにより数字「３２２」を米国ドルに換算する処理が行われ、領域Ｒ３に換算処理の結果である数字「２８４６５」が入力される。
【０１１１】
また、時差換算アプリケーションにより通貨換算を行う場合には、以下のような処理を行う。
すなわち、画面Ｄ４２において、制御部４５は、方向指定キー１５ａの下方向（↓）キーが３回操作され（画面Ｄ４２、Ｄ４３、Ｄ４４）、右方向（→）キーが３回操作されると、時差換算用アプリケーションにより領域Ｒ３に表示されている数字の時差換算を行うメニューアイコンＭ４が選択される（画面Ｄ４７）。
【０１１２】
更に、制御部４５は、メニューアイコンＭ４が選択されると、入力された文字「さき」の変換候補に代えて、領域Ｒ３に表示されている数字を時差換算するための演算候補（例えば、「米（米国を表す記号）」、「伊（イタリアを表す記号）」、「独（ドイツを表す記号）」、「豪（オーストラリアを表す記号」）を領域Ｒ２に表示させる（画面Ｄ４７）。
【０１１３】
次に、制御部４５は、方向指定キー１５ａ及び決定キー１５ｂが操作されて、演算候補「米」の選択が確定されると、時差換算用アプリケーションにより領域Ｒ３に表示されている数字を米国標準時に換算する処理が行われ、領域Ｒ３に換算処理の結果が入力される。
【０１１４】
以上、本発明の実施形態について説明したが、本発明は上述した実施形態に制限されるものではなく、適宜変更が可能である。例えば、領域Ｒ３は、主に電話番号としての数字を表示させる領域であるため、演算候補（「＋」、「−」、「×」、「÷」等）を表示できない場合が考えられる。この場合には、制御部４５は、演算候補（「＋」、「−」、「×」、「÷」等）に代えて、例えば、電話番号を入力する際に用いられる記号（「＋」、「＃」、「＊」、「ｐ」等）を領域Ｒ３に表示させてもよい。
【０１１５】
また、上述した実施形態において、携帯電子機器としての携帯電話機１について説明したが、これに限定されず、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【０１１６】
１  携帯電話機（携帯電子機器）
１１  操作部
１５  入力操作キー（操作キー）
２１  表示部
４５  制御部
【図１】
0005475580.tif 000002
【図２】
0005475580.tif 000003
【図３】
0005475580.tif 000004
【図４】
0005475580.tif 000005
【図５】
0005475580.tif 000006
【図６】
0005475580.tif 000007
【図７】
0005475580.tif 000008
【図８】
0005475580.tif 000009
【図９】
0005475580.tif 000010
【図１０】
0005475580.tif 000011
【図１１】
0005475580.tif 000012
【図１２】
0005475580.tif 000013
【図１３】
0005475580.tif 000014